(57)【要約】  無線通信用のユーザ機器および当該機器の無線通信方法を提供する。当該方法は、スケジューリングモードのｓｉｄｅｌｉｎｋリソースプールの構成情報を基地局から受信することと、スケジューリングモードのｓｉｄｅｌｉｎｋリソースプールでセンシングを実行し、センシング結果を報告することであって、当該センシング結果は、当該スケジューリングモードのｓｉｄｅｌｉｎｋリソースプールの使用可能なリソースセットに関連付けられることとを含む。
2021531683.tif 000002
【特許請求の範囲】
【請求項１】
無線通信用のユーザ機器であって、
メモリと、
トランシーバと、
前記メモリおよび前記トランシーバに結合されたプロセッサとを備え、
前記プロセッサは、
基地局からスケジューリングモードのサイドリンク（ｓｉｄｅｌｉｎｋ）リソースプールの構成情報を受信するように前記トランシーバを制御し、
前記スケジューリングモードのｓｉｄｅｌｉｎｋリソースプールでセンシングを実行し、センシング結果を報告するように構成され、前記センシング結果は、前記スケジューリングモードのｓｉｄｅｌｉｎｋリソースプールの使用可能なリソースセットに関連付けられる、前記無線通信用のユーザ機器。
【請求項２】
前記基地局は、前記スケジューリングモードのｓｉｄｅｌｉｎｋリソースプールでセンシングを実行し、前記センシング結果を報告するように前記プロセッサに要求する、
請求項１に記載の無線通信用のユーザ機器。
【請求項３】
前記プロセッサは、前記センシング結果を周期的に報告するように構成される、
請求項１または２に記載の無線通信用のユーザ機器。
【請求項４】
前記ユーザ機器は無線リソース制御（ＲＲＣ）接続モードである、
請求項１ないし３のいずれか一項に記載の無線通信用のユーザ機器。
【請求項５】
前記プロセッサは、さらに、前記スケジューリングモードのｓｉｄｅｌｉｎｋリソースプールでセンシングを実行するように、基地局によって構成され、または自己トリガされる、
請求項１ないし４のいずれか一項に記載の無線通信用のユーザ機器。
【請求項６】
前記プロセッサは、センシングウィンドウにおける物理サイドリンク制御チャネル（ＰＳＣＣＨ）からリソース予約情報を検索し、および前記ＰＳＣＣＨに関連付けられた物理サイドリンク共有チャネル（ＰＳＳＣＨ）で基準信号受信パワー（ＲＳＲＰ）レベルを測定することにより、前記スケジューリングモードのｓｉｄｅｌｉｎｋリソースプールでセンシングを実行するように構成される、
請求項１ないし５のいずれか一項に記載の無線通信用のユーザ機器。
【請求項７】
前記センシングウィンドウの周期は１００ｍｓから１０００ｍｓの間である、
請求項６に記載の無線通信用のユーザ機器。
【請求項８】
前記プロセッサは、前記基地局のｓｉｄｅｌｉｎｋスケジューリング許可に対する要求としてユーザ機器補助情報を前記基地局に送信するように前記トランシーバを制御するように構成される、
請求項１ないし７のいずれか一項に記載の無線通信用のユーザ機器。
【請求項９】
前記ユーザ機器の補助情報は、メッセージサイズ、データパケットの優先度、タイミングオフセット値および周期のうちの少なくとも１つを含む、
請求項８に記載の無線通信用のユーザ機器。
【請求項１０】
前記基地局からの構成情報は、リソース予約間隔および／または連続するサブチャネルの長さを含む、
請求項１ないし９のいずれか一項に記載の無線通信用のユーザ機器。
【請求項１１】
前記プロセッサは、前記基地局によって提供されたセンシング結果パラメータに従って、使用可能なｓｉｄｅｌｉｎｋリソースセットを選択するように構成される、
請求項１ないし１０のいずれか一項に記載の無線通信用のユーザ機器。
【請求項１２】
前記プロセッサは、前記使用可能なリソースセットを決定するように構成される、
請求項１ないし１１のいずれか一項に記載の無線通信用のユーザ機器。
【請求項１３】
前記プロセッサは、決定された使用可能なリソースセットを基地局に報告するように構成される、
請求項１２に記載の無線通信用のユーザ機器。
【請求項１４】
前記プロセッサは、前記スケジューリングモードのｓｉｄｅｌｉｎｋリソースプールで選択されたｓｉｄｅｌｉｎｋリソースに関連付けられた割り当てを前記基地局から受信するように前記トランシーバを制御するように構成される、
請求項１ないし１３のいずれか一項に記載の無線通信用のユーザ機器。
【請求項１５】
前記スケジューリングモードのリソースプールは、ユーザ機器の自律リソース選択モードのリソースプールと重複する、
請求項１ないし１４のいずれか一項に記載の無線通信用のユーザ機器。
【請求項１６】
ユーザ機器の無線通信方法であって、
基地局からスケジューリングモードサイドリンク（ｓｉｄｅｌｉｎｋ）リソースプールの構成情報を受信することと、
前記スケジューリングモードのｓｉｄｅｌｉｎｋリソースプールでセンシングを実行し、センシング結果を報告することであって、前記センシング結果は、前記スケジューリングモードのｓｉｄｅｌｉｎｋリソースプールの使用可能なリソースセットに関連付けられることと、を含む、前記ユーザ機器の無線通信方法。
【請求項１７】
前記基地局は、前記スケジューリングモードのｓｉｄｅｌｉｎｋリソースプールでセンシングを実行し、前記センシング結果を報告するように前記ユーザ機器に要求する、
請求項１６に記載のユーザ機器の無線通信方法。
【請求項１８】
前記ユーザ機器の無線通信方法は、
前記センシング結果を周期的に報告することをさらに含む、
請求項１６または１７に記載のユーザ機器の無線通信方法。
【請求項１９】
前記ユーザ機器は無線リソース制御（ＲＲＣ）接続モードである、
請求項１６ないし１８のいずれか一項に記載のユーザ機器の無線通信方法。
【請求項２０】
前記ユーザ機器は、さらに、前記スケジューリングモードのｓｉｄｅｌｉｎｋリソースプールでセンシングを実行するように、前記基地局によって構成され、または自己トリガされる、
請求項１６ないし１９のいずれか一項に記載のユーザ機器の無線通信方法。
【請求項２１】
センシングウィンドウにおける物理サイドリンク制御チャネル（ＰＳＣＣＨ）からリソース予約情報を検索し、および前記ＰＳＣＣＨに関連付けられた物理サイドリンク共有チャネル（ＰＳＳＣＨ）で基準信号受信パワー（ＲＳＲＰ）レベルを測定することにより、前記スケジューリングモードのｓｉｄｅｌｉｎｋリソースプールでセンシングを実行する、
請求項１６ないし２０のいずれか一項に記載のユーザ機器の無線通信方法。
【請求項２２】
前記センシングウィンドウの周期は１００ｍｓから１０００ｍｓの間である、
請求項２１に記載のユーザ機器の無線通信方法。
【請求項２３】
前記方法は、
前記基地局のｓｉｄｅｌｉｎｋスケジューリング許可に対する要求としてユーザ機器補助情報を基地局に送信することをさらに含む、
請求項１６ないし２２のいずれか一項に記載のユーザ機器の無線通信方法。
【請求項２４】
前記ユーザ機器の補助情報は、メッセージサイズ、データパケットの優先度、タイミングオフセット値および／または周期を含む、
請求項２３に記載のユーザ機器の無線通信方法。
【請求項２５】
前記基地局からの構成情報は、リソース予約間隔および／または連続するサブチャネルの長さを含む、
請求項１６ないし２４のいずれか一項に記載のユーザ機器の無線通信方法。
【請求項２６】
前記ユーザ機器の無線通信方法は、
前記基地局によって提供されたセンシング結果パラメータに従って、使用可能なｓｉｄｅｌｉｎｋリソースセットを選択することをさらに含む、
請求項１６ないし２５のいずれか一項に記載のユーザ機器の無線通信方法。
【請求項２７】
前記ユーザ機器の無線通信方法は、
前記使用可能なリソースセットを決定することをさらに含む、
請求項１６ないし２６のいずれか一項に記載のユーザ機器の無線通信方法。
【請求項２８】
前記ユーザ機器の無線通信方法は、
決定された使用可能なリソースセットを前記基地局に報告することをさらに含む、
請求項２７に記載のユーザ機器の無線通信方法。
【請求項２９】
前記ユーザ機器の無線通信方法は、
前記スケジューリングモードのｓｉｄｅｌｉｎｋリソースプールで選択されたｓｉｄｅｌｉｎｋリソースに関連付けられた割り当てを前記基地局から受信することをさらに含む、
請求項１６ないし２８のいずれか一項に記載のユーザ機器の無線通信方法。
【請求項３０】
前記スケジューリングモードのリソースプールは、ユーザ機器の自律リソース選択モードのリソースプールと重複する、
請求項１６ないし２９のいずれか一項に記載のユーザ機器の無線通信方法。
【請求項３１】
無線通信用の基地局であって、
メモリと、
トランシーバと、
前記メモリおよび前記トランシーバに結合されたプロセッサとを備え、
前記プロセッサは、
スケジューリングモードサイドリンク（ｓｉｄｅｌｉｎｋ）リソースプールの構成情報をユーザ機器に送信するように前記トランシーバを制御し、および
前記ユーザ機器からセンシング結果を受信するように構成され、前記センシング結果は、前記スケジューリングモードのｓｉｄｅｌｉｎｋリソースプールの使用可能なリソースセットに関連付けられる、前記無線通信用の基地局。
【請求項３２】
前記プロセッサは、前記スケジューリングモードのｓｉｄｅｌｉｎｋリソースプールでセンシングを実行し、前記センシング結果を報告するように前記ユーザ機器に要求するように構成される、
請求項３１に記載の無線通信用の基地局。
【請求項３３】
前記トランシーバは、前記センシング結果を周期的に受信するように構成される、
請求項３１または３２に記載の無線通信用の基地局。
【請求項３４】
前記基地局と前記ユーザ機器には、無線リソース制御（ＲＲＣ）接続がある、
請求項３１ないし３３のいずれか一項に記載の無線通信用の基地局。
【請求項３５】
前記プロセッサは、センシングウィンドウにおける物理サイドリンク制御チャネル（ＰＳＣＣＨ）からリソース予約情報を検索し、および前記ＰＳＣＣＨに関連付けられた物理サイドリンク共有チャネル（ＰＳＳＣＨ）で基準信号受信パワー（ＲＳＲＰ）レベルを測定することにより、前記スケジューリングモードのｓｉｄｅｌｉｎｋリソースプールでセンシングを実行するようにユーザ機器に要求するように構成される、
請求項３１ないし３４のいずれか一項に記載の無線通信用の基地局。
【請求項３６】
前記センシングウィンドウの周期は１００ｍｓから１０００ｍｓの間である、
請求項３５に記載の無線通信用の基地局。
【請求項３７】
前記プロセッサは、前記プロセッサのｓｉｄｅｌｉｎｋスケジューリング許可に対する要求としてユーザ機器補助情報をユーザ機器から受信するように前記トランシーバを制御するように構成される、
請求項３１ないし３６のいずれか一項に記載の無線通信用の基地局。
【請求項３８】
前記ユーザ機器の補助情報は、メッセージサイズ、データパケットの優先度、タイミングオフセット値および／または周期を含む、
請求項３７に記載の無線通信用の基地局。
【請求項３９】
前記構成情報は、リソース予約間隔および／または連続するサブチャネルの長さを含む、
請求項３１ないし３８のいずれか一項に記載の無線通信用の基地局。
【請求項４０】
前記プロセッサは、決定された使用可能なリソースセットの報告を前記ユーザ機器から受信するように前記トランシーバを制御するように構成される、
請求項３１ないし３９のいずれか一項に記載の無線通信用の基地局。
【請求項４１】
前記プロセッサは、前記スケジューリングモードのｓｉｄｅｌｉｎｋリソースプールで選択されたｓｉｄｅｌｉｎｋリソースをユーザ機器に割り当てるように構成される、
請求項３１ないし４０のいずれか一項に記載の無線通信用の基地局。
【請求項４２】
前記スケジューリングモードのリソースプールは、ユーザ機器の自律リソース選択モードのリソースプールと重複する、
請求項３１ないし４１のいずれか一項に記載の無線通信用の基地局。
【請求項４３】
基地局の無線通信方法であって、
スケジューリングモードサイドリンク（ｓｉｄｅｌｉｎｋ）リソースプールの構成情報をユーザ機器に送信することと、
前記ユーザ機器からセンシング結果を受信することであって、前記センシング結果は、前記スケジューリングモードのｓｉｄｅｌｉｎｋリソースプールの使用可能なリソースセットに関連付けられることと、を含む、前記基地局の無線通信方法。
【請求項４４】
前記基地局の無線通信方法は、
前記スケジューリングモードのｓｉｄｅｌｉｎｋリソースプールでセンシングを実行し、前記センシング結果を報告するように前記ユーザ機器に要求することをさらに含む、
請求項４３に記載の基地局の無線通信方法。
【請求項４５】
前記基地局の無線通信方法は、
前記センシング結果を周期的に受信することをさらに含む、
請求項４３または４４に記載の基地局の無線通信方法。
【請求項４６】
前記基地局と前記ユーザ機器には、無線リソース制御（ＲＲＣ）接続がある、
請求項４３ないし４５のいずれか一項に記載の基地局の無線通信方法。
【請求項４７】
前記基地局の無線通信方法は、
センシングウィンドウにおける物理サイドリンク制御チャネル（ＰＳＣＣＨ）からリソース予約情報を検索し、および前記ＰＳＣＣＨに関連付けられた物理サイドリンク共有チャネル（ＰＳＳＣＨ）で基準信号受信パワー（ＲＳＲＰ）レベルを測定することにより、前記スケジューリングモードのｓｉｄｅｌｉｎｋリソースプールでセンシングを実行するように前記ユーザ機器に要求することをさらに含む、
請求項４３ないし４６のいずれか一項に記載の基地局の無線通信方法。
【請求項４８】
前記センシングウィンドウの周期は１００ｍｓから１０００ｍｓの間である、
請求項４７に記載の基地局の無線通信方法。
【請求項４９】
前記基地局の無線通信方法は、
前記基地局のｓｉｄｅｌｉｎｋスケジューリング許可に対する要求としてユーザ機器補助情報を前記ユーザ機器から受信することをさらに含む、
請求項４３ないし４８のいずれか一項に記載の基地局の無線通信方法。
【請求項５０】
前記ユーザ機器の補助情報は、メッセージサイズ、データパケットの優先度、タイミングオフセット値および／または周期を含む、
請求項４９に記載の基地局の無線通信方法。
【請求項５１】
前記構成情報は、リソース予約間隔および／または連続するサブチャネルの長さを含む、
請求項４３ないし５０のいずれか一項に記載の基地局の無線通信方法。
【請求項５２】
前記基地局の無線通信方法は、
決定された使用可能なリソースセットの報告を前記ユーザ機器から受信することをさらに含む、
請求項４３ないし５１のいずれか一項に記載の基地局の無線通信方法。
【請求項５３】
前記基地局の無線通信方法は、
前記スケジューリングモードのｓｉｄｅｌｉｎｋリソースプールで選択されたｓｉｄｅｌｉｎｋリソースをユーザ機器に割り当てることをさらに含む、
請求項４３ないし５２のいずれか一項に記載の基地局の無線通信方法。
【請求項５４】
前記スケジューリングモードのリソースプールは、ユーザ機器の自律リソース選択モードのリソースプールと重複する、
請求項４３ないし５３のいずれか一項に記載の基地局の無線通信方法。
【請求項５５】
命令が記憶される、非一時的な機械可読記憶媒体であって、
前記命令がコンピュータによって実行される時に、前記コンピュータが、請求項１６ないし３０のいずれか一項に記載の方法および請求項４３ないし５４のいずれか一項に記載の方法を実行するようにする、前記非一時的な機械可読記憶媒体。
【請求項５６】
端末機器であって、
プロセッサと、コンピュータプログラムを記憶するように構成されるメモリとを備え、前記プロセッサは、請求項１６ないし３０のいずれか一項に記載の方法を実施するために、前記メモリに記憶されたコンピュータプログラムを実行するように構成される、前記端末機器。
【請求項５７】
基地局であって、
プロセッサと、コンピュータプログラムを記憶するように構成されるメモリとを備え、前記プロセッサは、請求項４３ないし５４のいずれか一項に記載の方法を実施するために、前記メモリに記憶されたコンピュータプログラムを実行するように構成される、前記基地局。
【発明の詳細な説明】
【技術分野】
【０００１】
本開示は、通信システムの分野に関し、より具体的に、無線通信用の機器および当該機器の無線通信方法に関する。
【背景技術】
【０００２】
第３世代パートナーシッププロジェクト（３ＧＰＰ）リリース（ｒｅｌｅａｓｅ）１４ロングタームエボリューション（ＬＴＥ）仕様の一部として、セルラー車両インターネット（Ｖ２Ｘ）通信用に設計された現在のサイドリンク（ＳＬ：ｓｉｄｅｌｉｎｋ）技術では、Ｖ２Ｘデータメッセージを送信（Ｔｘ）および受信（Ｒｘ）するために、ユーザ機器（ＵＥ）が事前に定義された通信モード（即ち、モード３およびモード４）のうちの１つで操作することが許可される。ＵＥが在モード３（通常、ネットワークスケジューリング式リソース割り当てモードとも称する）で操作するように構成される場合、サービスネットワーク基地局（ＢＳ）からの専用無線リソース制御（ＲＲＣ）シグナリングを介して、ＳＬ通信に対して時間および周波数リソースプールを提供する。提供されるモード３プールでは、サービスネットワークＢＳがｓｉｄｅｌｉｎｋリソースの使用を完全に管理し、データ伝送に必要な任意の特定のリソースを各ＵＥに個別に割り当てる。したがって、サービスネットワークＢＳは完全な知識を持ち、割り当てられたモード３プール内の全てのリソースと使用を常に制御する。モード３のＵＥが送信しようとするＶ２Ｘデータを有する場合、先ず、ｓｉｄｅｌｉｎｋリソースの割り当てを要求するために、スケジューリング要求およびデータメッセージに関連する優先度、遅延および周期に関する詳細情報をサービスネットワークＢＳに送信する必要がある。その後、上記の情報に基づいて、サービスネットワークＢＳは、割り当てられたモード３プール内で、必要な遅延および周期を満たす適切なｓｉｄｅｌｉｎｋリソースを選択し、当該ｓｉｄｅｌｉｎｋリソースをＵＥ割り当ててそのデータを送信する。ＵＥがモード４（ＵＥ自律リソース選択モードとも称する）で操作する場合、サービスネットワークＢＳからのＲＲＣシグナリングを介して、またはＵＥがサービスネットワークＢＳの信号のカバレッジエリア内にいない場合、事前に構成することにより、全てのＶ２Ｘ  ＵＥに対して、共通の１つまたは複数のｓｉｄｅｌｉｎｋリソースプールを割り当てる。サービスネットワークＢＳによって配置され、または事前に配置されたモード４リソースプールは全てのモード４のＵＥによって共有され、ＵＥは独自の伝送リソースを自律的に選択するため、１つ以上のＵＥが同じ時間および周波数ｓｉｄｅｌｉｎｋリソースを選択してそれらのデータを送信すると、Ｔｘの競合が発生するというリスクが発生する。この潜在的なリスクを最小限に抑えるために、モード４のＵＥは、自身の伝送に適切なリソースを選択する前に、先ず、他のＵＥとのＴｘ競合を回避するために、モード４のプール内でｓｉｄｅｌｉｎｋリソースによって使用されるセンシング（ｓｅｎｓｉｎｇ）を実行し、リソース予約状態をモニタリングする。
【０００３】
通常の操作シナリオでは、クロスモード干渉を回避するために、同じキャリア上のモード３およびモード４リソースプールを分離することができ、これは、上記の２つの操作モードが、リソースの割り当ておよび選択側に関して互に根本的に異なるためである。しかし、いくつかのシナリオでは、モード３とモード４プールがリソース共有側で重複することを避けることができない。例示的なシナリオでは、ネットワークＢＳによって構成されたモード３プールのｓｉｄｅｌｉｎｋリソースは、同じキャリア上の事前に構成されたモード４プールのｓｉｄｅｌｉｎｋリソースと重複する可能性がある。ネットワークサービングセルの近くに、カバレッジエリア外に位置するモード４のＵＥが操作する場合、ＵＥの自律的な選択に基づく伝送は、カバレッジエリア内のモード３のＵＥの操作に深刻な干渉を及ぼす。別の例示的なシナリオでは、ネットワークＢＳは、ｓｉｄｅｌｉｎｋ操作に必要なリソース量を最小限に抑えるために、モード３のリソースプールを同じサービングセル内のモード４プールと完全にまたは部分的に重複するように選択することができる。このため、モード３およびモード４のリソースプール共有をサポートすると同時に、クロスモード干渉を最小限に抑えるために、全てのモード３の伝送でリソース予約情報を指示することにより、サービングＢＳによって割り当てられたリソースを知ることができ、当該リソースが、重複するプールで操作する他のＵＥによって使用されることが同意され、それにより、モード４のＵＥが同じリソースを選択することによるＴｘの競合が発生することを防ぐ。しかしながら、サービングＢＳが、重複するプール内で、他のＵＥの伝送と競合するリソースをモード３のＵＥに割り当てることをどうやって回避するかに対してまだ限定されてない。
【発明の概要】
【発明が解決しようとする課題】
【０００４】
本開示は、先行技術のｓｉｄｅｌｉｎｋ通信においてモード３プールおよびモード４プールが重複する時のユーザ機器（ＵＥ）がｓｉｄｅｌｉｎｋリソースをセンシングおよび報告する問題を解決するために、無線通信機器および当該機器の無線通信方法を提案することを目的とする。
【課題を解決するための手段】
【０００５】
本開示の第１態様によれば、無線通信用のユーザ機器は、メモリと、トランシーバと、当該メモリおよびト当該ランシーバに結合されるプロセッサとを備える。当該プロセッサは、スケジューリングモードのｓｉｄｅｌｉｎｋリソースプールの構成情報を基地局から受信するようにトランシーバを制御し、スケジューリングモードのｓｉｄｅｌｉｎｋリソースプールでセンシングを実行するように構成され、ここで、当該センシング結果は、当該スケジューリングモードのｓｉｄｅｌｉｎｋリソースプールの使用可能なリソースセットに関連付けられる。
【０００６】
本開示の第２態様によれば、ユーザ機器の無線通信的方法は、スケジューリングモードのｓｉｄｅｌｉｎｋリソースプールの構成情報を基地局から受信することと、スケジューリングモードのｓｉｄｅｌｉｎｋリソースプールでセンシングを実行し、センシング結果を報告することであって、当該センシング結果は、当該スケジューリングモードのｓｉｄｅｌｉｎｋリソースプールの使用可能なリソースセットに関連付けられることとを含む。
【０００７】
本開示の第３態様によれば、無線通信用の基地局は、メモリと、トランシーバと、当該メモリおよび当該トランシーバに結合されたプロセッサとを備える。当該プロセッサは、スケジューリングモードのｓｉｄｅｌｉｎｋリソースプールの構成情報をユーザ機器に送信し、センシング結果を当該ユーザ機器から受信するようにトランシーバを制御するように構成される。ここで、センシング結果は、スケジューリングモードのｓｉｄｅｌｉｎｋリソースプールの使用可能なリソースセットに関連付けられる。
【０００８】
本開示の第４態様によれば、基地局の無線通信方法は、スケジューリングモードのｓｉｄｅｌｉｎｋリソースプールの構成情報をユーザ機器に送信することと、センシング結果を当該ユーザ機器から受信することとを含む。ここで、当該センシング結果は、スケジューリングモードのｓｉｄｅｌｉｎｋリソースプールの使用可能なリソースセットに関連付けられる。
【０００９】
本開示の第５態様によれば、非一時的な機械可読記憶媒体には、命令が記憶され、コンピュータが当該命令を実行する時に、コンピュータが上記の方法を実行させる。
【００１０】
本開示の第６態様によれば、端末機器は、プロセッサと、コンピュータプログラムを記憶するように構成されるメモリとを備える。当該プロセッサは、上記の方法を実施するために、メモリに記憶されたコンピュータプログラムを実行するように構成される。
【００１１】
本開示の第７態様によれば、基地局は、プロセッサと、コンピュータプログラムを記憶するように構成されるメモリとを備える。当該プロセッサは、上記の方法を実行するために、メモリに記憶されたコンピュータプログラムを実行するように構成される。
【図面の簡単な説明】
【００１２】
本開示または関連技術の実施例をより明確に説明するために、以下、実施例で説明される図面を簡略的に紹介する。明らかなことは、これらの図面は、本開示のいくつかの実施例に過ぎず、当業者は寄与することなく、これらの図面に従って他の図面を取得することができる。
【図１】本開示の実施例に係る、無線通信用のユーザ機器（ＵＥ）および基地局のブロック図である。
【図２】本開示の実施例に係る、ユーザ機器の無線通信方法のフローチャートである。
【図３】本開示の実施例に係る、基地局の無線通信方法のフローチャートである。
【図４】本開示の実施例に係る、ＵＥのセンシングおよび報告の順次の概略図である。
【図５】本開示の実施例に係る、ＵＥがセンシングおよび報告することに使用されるタイムラインの概略図である。
【図６】本開示の実施例に係る、無線通信用のシステムのブロック図である。
【発明を実施するための形態】
【００１３】
以下、図面を参照して、技術的内容、構造的特徴、達成した目的および技術的効果を説明することにより、本開示の実施例を詳細に説明する。具体的に、本開示の実施例における用語は、特定の実施例を説明するためにのみ使用され、本開示を限定するものではない。
【００１４】
第３世代パートナーシッププロジェクト（３ＧＰＰ）に関するいくつかの提案を提供する。提案では、モード３のＵＥは、特定の期間にリソースセンシングプロセスを実行し、その後、リソース使用状況（例えば、各測定期間、サブフレームまたはサブチャネルのチャネルのチャネルビジーレートなど）をネットワークに報告して、基地局（ＢＳ）は、これらのリソース使用指示に基づいて、リソースプール内の占有率の低いサブフレームまたは領域からリソースを選択し、選択したリソースをモード３のＵＥに割り当てることができる。この概念的な方法は、使用率の低い領域からリソースを選択するようにサービングＢＳをガイドし、送信（Ｔｘ）の競合の可能性をある程度減らすのに役立つが、重複するリソースの将来の使用および予約状態に関する時間情報が不足である。したがって、Ｔｘの競合のリスクは依然として高い。代替的な提案では、モード３のＵＥが、モード３のＵＥのセンシングおよびリソース除外結果に基づいて、他のＵＥによって予約されてない使用可能な将来のリソースをそれらのサービングＢＳのみに報告することが提案されている。しかしながら、新しいリソースに対するセンシングおよび報告をどうやってトリガすること、および報告がサービングＢＳに送信される周波数は明確ではない。さらに、モード３プールにおける全ての使用可能なリソースを報告する場合、報告されるペイロードは非常に大きくなるため、アップリンク（ＵＬ）リソースの使用率が低くなり、そして、リソースの割り当てに不要な遅延が発生する。
【００１５】
図１は、いくつかの実施例において、本開示の実施例に係る、無線通信用のユーザ機器（ＵＥ）１０および基地局（ＢＳ）２０を提供することを示す。ＵＥ１０は、プロセッサ１１、メモリ１２およびトランシーバ１３を備えることができる。基地局２０は、プロセッサ２１、メモリ２２およびトランシーバ２３を備えることができる。プロセッサ１１または２１は、本明細書で提案された機能、説明されたプロセスおよび／または方法を実現するように構成されることができる。プロセッサ１１または２１において、無線インターフェースプロトコル層を実現することができる。メモリ１２または２２は、プロセッサ１１または２１に操作可能に結合され、プロセッサ１１または２１を操作するための様々な情報を記憶する。トランシーバ１３または２３は、プロセッサ１１または２１に操作可能に結合され、トランシーバ１３または２３は、無線信号を送信および／または受信する。
【００１６】
プロセッサ１１または２１は、特定用途向け集積回路（ＡＳＩＣ）、他のチップセット、論理回路および／またはデータ処理装置を含み得る。メモリ１２または２２は、読み取り専用メモリ（ＲＯＭ）、ランダムアクセスメモリ（ＲＡＭ）、フラッシュメモリ、メモリカード、記憶媒体および／または他の記憶装置を含み得る。トランシーバ１３または２３は、無線周波数信号を処理するように構成されるベースバンド回路を含み得る。ソフトウェアの形態で実施例を実現する場合、本明細書で説明された機能を実行するモジュール（例えば、プロセス、機能など）を使用して、本明細書で説明された技術を実施する。これらのモジュールは、メモリ１２または２２に記憶され、さらにプロセッサ１１または２１によって実行されることができる。メモリ１２または２２は、プロセッサ１１または２１の内部またはプロセッサ１１または２１の外部によって実現されることができ、ここで、本分野で知られている様々な方式を通じて、当該メモリ１２または２２をプロセッサ１１または２１に通信的に結合させることができる。
【００１７】
第３世代パートナーシッププロジェクト（３ＧＰＰ）リリース１４、１５、１６およびより高いリリースで開発されたｓｉｄｅｌｉｎｋ技術に基づき、ＵＥ間の通信は、車両間（Ｖ２Ｖ：Ｖｅｈｉｃｌｅ−ｔｏ−Ｖｅｈｉｃｌｅ）、車両対歩行者（Ｖ２Ｐ：Ｖｅｈｉｃｌｅ−ｔｏ−Ｐｅｄｅｓｔｒｉａｎ）および車両対インフラ／ネットワーク（Ｖ２Ｉ／Ｎ：ｖｅｈｉｃｌｅ−ｔｏ−ｉｎｆｒａｓｔｒｕｃｔｕｒｅ／ｎｅｔｗｏｒｋ）を含む車両対任意の機器間（Ｖ２Ｘ：Ｖｅｈｉｃｌｅ  ｔｏ  Ｘ）の通信に関する。ＵＥは、ＰＣ５インターフェースなどのｓｉｄｅｌｉｎｋインターフェースを介して、互に直接に通信する。加えて、本開示のいくつかの実施例は、３ＧＰＰロングタームエボリューション（ＬＴＥ）リリース１４、１５およびより高いリリースにおけるＶ２Ｘ通信技術に関する。
【００１８】
いくつかの実施例において、プロセッサ１１は、スケジューリングモードのｓｉｄｅｌｉｎｋリソースプールの構成情報を基地局２０から受信するようにトランシーバ１３を制御し、スケジューリングモードのｓｉｄｅｌｉｎｋリソースプールでセンシングを実行するように構成され、ここで、当該センシング結果は、当該スケジューリングモードのｓｉｄｅｌｉｎｋリソースプールの使用可能なリソースセットに関連付けられる。
【００１９】
いくつかの実施例において、基地局２０は、スケジューリングモードのｓｉｄｅｌｉｎｋリソースプールでセンシングを実行し、センシング結果を報告するようにプロセッサ１１に要求する。いくつかの実施例において、プロセッサ１１は、センシング結果を周期的に報告するように構成される。いくつかの実施例において、ユーザ機器２０は、無線リソース制御（ＲＲＣ）接続モードである。いくつかの実施例において、プロセッサ１１は、さらに、スケジューリングモードのｓｉｄｅｌｉｎｋリソースプールに対してセンシングを実行するように、基地局２０によって構成され、または自己トリガされる。
【００２０】
いくつかの実施例において、プロセッサ１１は、センシングウィンドウにおける物理サイドリンク制御チャネル（ＰＳＣＣＨ）からリソース予約情報を検索し、およびＰＳＣＣＨに関連付けられた物理サイドリンク共有チャネル（ＰＳＳＣＨ）上の基準信号受信パワー（ＲＳＲＰ）レベルを測定することにより、スケジューリングモードのｓｉｄｅｌｉｎｋリソースプールでセンシングを実行するように構成される。いくつかの実施例において、センシングウィンドウの周期は１００ｍｓから１０００ｍｓの間である。いくつかの実施例において、プロセッサ１１は、基地局２０のｓｉｄｅｌｉｎｋスケジューリング許可に対する要求としてユーザ機器補助情報を基地局２０に送信するようにトランシーバ１３を制御するように構成される。
【００２１】
いくつかの実施例において、ユーザ機器補助情報は、メッセージサイズ、データパケットの優先度、タイミングオフセット値および周期のうちの少なくとも１つを含む。いくつかの実施例において、基地局２０からの構成情報は、リソース予約間隔および連続するサブチャネルの長さのうちの少なくとも１つを含む。いくつかの実施例において、プロセッサ１１は、基地局２０によって提供されたセンシング結果パラメータに従って、使用可能なｓｉｄｅｌｉｎｋリソースセットを選択するように構成される。
【００２２】
いくつかの実施例において、プロセッサ１１は、使用可能なリソースセットを決定するように構成される。いくつかの実施例において、プロセッサ１１は、決定された使用可能なリソースセットを基地局２０に報告するように構成される。いくつかの実施例において、プロセッサ１１は、スケジューリングモードのｓｉｄｅｌｉｎｋリソースプールにおける選択されたｓｉｄｅｌｉｎｋリソースに関連付けられた割り当てを基地局２０から受信するようにトランシーバ１３を制御するように構成される。いくつかの実施例において、スケジューリングモードのリソースプールは、ユーザ機器の自律リソース選択モードのリソースプールと重複する。
【００２３】
いくつかの実施例において、プロセッサ２１は、スケジューリングモードのｓｉｄｅｌｉｎｋリソースプールの構成情報をユーザ機器１０に送信し、センシング結果をユーザ機器１０から受信するようにトランシーバを制御するように構成され、ここで、当該センシング結果は、スケジューリングモードのｓｉｄｅｌｉｎｋリソースプールの使用可能なリソースセットに関連付けられる。
【００２４】
いくつかの実施例において、プロセッサ２１は、スケジューリングモードのｓｉｄｅｌｉｎｋリソースプールでセンシングを実行し、センシング結果を報告するようにユーザ機器１０に要求するように構成される。いくつかの実施例において、トランシーバ２３は、センシング結果を周期的に受信するように構成される。いくつかの実施例において、基地局２０とユーザ機器１０には、無線リソース制御（ＲＲＣ）接続がある。いくつかの実施例において、プロセッサ２１は、センシングウィンドウにおける物理サイドリンク制御チャネル（ＰＳＣＣＨ）からリソース予約情報を検索し、およびＰＳＣＣＨに関連付けられた物理サイドリンク共有チャネル（ＰＳＳＣＨ）で基準信号受信パワー（ＲＳＲＰ）レベルを測定することにより、スケジューリングモードのｓｉｄｅｌｉｎｋリソースプールでセンシングを実行するようにユーザ機器に要求するように構成される。
【００２５】
いくつかの実施例において、センシングウィンドウの周期は１００ｍｓから１０００ｍｓの間である。いくつかの実施例において、プロセッサ２１は、プロセッサ２１のｓｉｄｅｌｉｎｋスケジューリング許可に対する要求としてユーザ機器補助情報をユーザ機器１０から受信する、トランシーバ２３を制御するように構成される。いくつかの実施例において、ユーザ機器補助情報は、メッセージサイズ、データパケットの優先度、タイミングオフセット値および周期のうちの少なくとも１つを含む。いくつかの実施例において、基地局２０からの構成情報は、リソース予約間隔および連続するサブチャネルの長さのうちの少なくとも１つを含む。
【００２６】
いくつかの実施例において、プロセッサ２１は、決定された使用可能なリソースセットの報告をユーザ機器１０から受信するようにトランシーバ２３を制御するように構成される。いくつかの実施例において、プロセッサ２１は、スケジューリングモードのｓｉｄｅｌｉｎｋリソースプールにおける選択されたｓｉｄｅｌｉｎｋリソースをユーザ機器１０に割り当てるように構成される。いくつかの実施例において、スケジューリングモードのリソースプールは、ユーザ機器の自律リソース選択モードのリソースプールと重複する。
【００２７】
図２は、本開示の実施例に係る、ユーザ機器の無線通信方法２００を示す。いくつかの実施例において、方法２００は、次のステップを含む。ステップ２０２において、スケジューリングモードのｓｉｄｅｌｉｎｋリソースプールの構成情報を基地局から受信する。ステップ２０４において、スケジューリングモードのｓｉｄｅｌｉｎｋリソースプールでセンシングを実行し、センシング結果を報告する。ここで、当該センシング結果は、スケジューリングモードのｓｉｄｅｌｉｎｋリソースプールの使用可能なリソースセットに関連付けられる。
【００２８】
いくつかの実施例において、基地局は、スケジューリングモードのｓｉｄｅｌｉｎｋリソースプールでセンシングを実行し、センシング結果を報告するようにユーザ機器に要求する。いくつかの実施例において、当該方法は、センシング結果を周期的に報告することをさらに含む。いくつかの実施例において、ユーザ機器は、無線リソース制御（ＲＲＣ）接続モードである。いくつかの実施例において、ユーザ機器は、さらに、スケジューリングモードのｓｉｄｅｌｉｎｋリソースプールでセンシングを実行するように、基地局によって構成され、または自己トリガされる。
【００２９】
いくつかの実施例において、センシングウィンドウにおける物理サイドリンク制御チャネル（ＰＳＣＣＨ）からリソース予約情報を検索し、およびＰＳＣＣＨに関連付けられた物理サイドリンク共有チャネル（ＰＳＳＣＨ）で基準信号受信パワー（ＲＳＲＰ）レベルを測定することにより、スケジューリングモードのｓｉｄｅｌｉｎｋリソースプールでセンシングを実行する。いくつかの実施例において、センシングウィンドウの周期は１００ｍｓから１０００ｍｓの間である。いくつかの実施例において、当該方法は、基地局のｓｉｄｅｌｉｎｋスケジューリング許可に対する要求としてユーザ機器補助情報を基地局に送信することをさらに含む。
【００３０】
いくつかの実施例において、ユーザ機器補助情報は、メッセージサイズ、データパケットの優先度、タイミングオフセット値および周期のうちの少なくとも１つを含む。いくつかの実施例において、基地局からの構成情報は、リソース予約間隔および連続するサブチャネルの長さのうちの少なくとも１つを含む。
【００３１】
いくつかの実施例において、当該方法は、基地局によって提供されたセンシング結果パラメータに従って、使用可能なｓｉｄｅｌｉｎｋリソースセットを選択することをさらに含む。いくつかの実施例において、当該方法は、使用可能なリソースセットを決定することをさらに含む。いくつかの実施例において、当該方法は、決定された使用可能なリソースセットを基地局に報告することをさらに含む。いくつかの実施例において、当該方法は、スケジューリングモードのｓｉｄｅｌｉｎｋリソースプールにおける、選択されたｓｉｄｅｌｉｎｋリソースに関連付けられた割り当てを基地局から受信することをさらに含む。いくつかの実施例において、スケジューリングモードのリソースプールは、ユーザ機器の自律リソース選択モードのリソースプールと重複する。
【００３２】
図３は、本開示の実施例に係る、基地局の無線通信方法３００を示す。いくつかの実施例において、方法３００は、次のステップを含む。ステップ３０２において、スケジューリングモードのｓｉｄｅｌｉｎｋリソースプールの構成情報をユーザ機器に送信する。ステップ３０４において、ユーザ機器からのセンシング結果を受信する。ここで、当該センシング結果は、スケジューリングモードのｓｉｄｅｌｉｎｋリソースプールの使用可能なリソースセットに関連付けられる。
【００３３】
いくつかの実施例において、当該方法は、スケジューリングモードのｓｉｄｅｌｉｎｋリソースプールでセンシングを実行し、センシング結果を報告するようにユーザ機器に要求することをさらに含む。いくつかの実施例において、当該方法は、センシング結果を周期的に受信することをさらに含む。いくつかの実施例において、基地局とユーザ機器には、無線リソース制御（ＲＲＣ）接続がある。
【００３４】
いくつかの実施例において、当該方法は、センシングウィンドウにおける物理サイドリンク制御チャネル（ＰＳＣＣＨ）からリソース予約情報を検索し、およびＰＳＣＣＨに関連付けられた物理サイドリンク共有チャネル（ＰＳＳＣＨ）で基準信号受信パワー（ＲＳＲＰ）レベルを測定することにより、スケジューリングモードのｓｉｄｅｌｉｎｋリソースプールでセンシングを実行するようにユーザ機器に要求することをさらに含む。
【００３５】
いくつかの実施例において、センシングウィンドウの周期は１００ｍｓから１０００ｍｓの間である。いくつかの実施例において、当該方法は、基地局のｓｉｄｅｌｉｎｋスケジューリング許可に対する要求としてユーザ機器補助情報をユーザ機器から受信することをさらに含む。いくつかの実施例において、ユーザ機器補助情報は、メッセージサイズ、データパケットの優先度、タイミングオフセット値および周期のうちの少なくとも１つを含む。
【００３６】
いくつかの実施例において、基地局からの構成情報は、リソース予約間隔および連続するサブチャネルの長さのうちの少なくとも１つを含む。いくつかの実施例において、当該方法は、決定された使用可能なリソースセットの報告をユーザ機器から受信することをさらに含む。いくつかの実施例において、当該方法は、スケジューリングモードのｓｉｄｅｌｉｎｋリソースプールにおける選択されたｓｉｄｅｌｉｎｋリソースをユーザ機器に割り当てることをさらに含む。いくつかの実施例において、スケジューリングモードのリソースプールは、ユーザ機器の自律リソース選択モードのリソースプールと重複する。
【００３７】
図４は、本開示の実施例に係る、ＵＥのセンシングおよび報告の順次の概略図を示す。図５は、本開示の実施例に係る、ＵＥがセンシングおよび報告することに使用されるタイムラインの概略図を示す。いくつかの実施例において、図４および図５は、リソースがモード３プールおよびモード４プールの両者によって共有され、モード４のＵＥによって使用または予約される可能性がある場合、提案されたＴｘ競合を回避するためのｓｉｄｅｌｉｎｋリソースＢＳスケジューリング方法を示し、図４および図５は、それぞれ、モード３のＵＥのセンシングおよび報告プロセスの詳細な順次および関連するタイムラインの概略図を例示的に示す。操作４００および操作５００を参照すると、サービスネットワークＢＳ４０１は１つまたは複数のＵＥを有することができ、これらのＵＥは、Ｖ２Ｘサービスに使用するための、セルラーネットワークへのＲＲＣ接続を有する。モード３（例えば、ネットワークスケジューリング式リソース割り当てモード）で操作するように指定され、且つモード３のリソースプールが構成されたＲＲＣ接続のＵＥ４０２において、操作４０３で、サービスネットワークＢＳ４０１を介して、構成されたモード３プール上でセンシング操作を継続的に実行するようにＵＥを指示するか、またはＵＥの自己トリガによって実現することができる。
【００３８】
ＢＳ指示：ＵＥ４０２に対してモード３のリソースプールを構成する同時に、サービスネットワークＢＳ４０１は、ＵＥ４０２をトリガして、構成されたプール上でセンシングを実行するようにすることができる。さらに、構成されたモード３プールと少なくとも１つのモード４プールに部分的または完全に重複するリソースがある場合にのみこのようなセンシングトリガが必要である。トリガされると、サービスネットワークＢＳ４０１は、さらに、ＵＥ４０２がセンシングする必要のある重複するリソース領域を指示することができる。当該領域を指示しない場合、他のモード４プールと重複する全てのモード３のリソースでセンシングを実行する必要がある。
【００３９】
ＵＥの自己トリガ：サービスネットワークＢＳ４０１が、リソースに対するセンシングをトリガしてない場合、ＵＥ４０２は、自身の知識、および本体に構成されたモードモード３プールと少なくとも１つのモード４リソースプールが一部または完全に重複する自己検出に基づいてリソースセンシングをトリガし、当該モード４リソースプールは、カバレッジエリア内のネットワークによって構成されたプールまたはカバレッジエリア外の操作用に同じキャリア上に事前に構成されたプールであってもよい。さらに、他のモード４プールと重複するモード３のリソースでのみセンシングを実行する必要がある。
【００４０】
トリガされると、センシングウィンドウ内で受信したＰＳＣＣＨをデコーディングし、将来のリソースの予約に関する情報を検索することにより、重複するモード３のリソースでのセンシングを実行する。同時に、ＵＥ４０２は、さらに、受信されてデコーディングされた各ＰＳＣＣＨに関連付けられたＰＳＳＣＨ上の基準信号受信パワー（ＲＳＲＰ）レベル（即ち、ＰＳＳＣＨ−ＲＳＲＰ）を受信する必要がある。将来のリソース予約に関する十分な情報を取得するために、少なくとも１００ｍｓから１ｓ（１０００許可）のウィンドウ期間内にセンシングを実行する必要があることは、図５の操作５０１に示す。
【００４１】
ステップ１の操作５０２において、ＵＥの上位層からのｓｉｄｅｌｉｎｋ（ＳＬ）データパケットがサブフレームタイミングｎで到着した後に、操作５０３のサブフレームＴ０で、ＵＥ４０２は、ステップ１の操作４０４において、ｓｉｄｅｌｉｎｋスケジューリング許可に対して要求することと共に、ＵＥ補助情報の一部として使用される、メッセージサイズ、データパケットの優先度（データパケットの遅延要求に関する）、次のデータパケットが到着するまでのタイミングオフセットおよびｓｉｄｅｌｉｎｋデータに関する周期のうちの少なくとも１つの情報をサービスネットワークＢＳ４０１に送信する。
【００４２】
ステップ２の操作４０５において、受信されたＵＥの要求およびＳＬデータパケットに関する情報に基づいて、サービスネットワークＢＳ４０１は、ステップ２の操作５０４のサブフレームタイミングＴ１で、モード４プールと重複する使用可能なモード３のリソースセットを報告するようにＵＥ４０２をトリガする同時に、ステップ３の操作５０５における、サブフレームタイミングＴ２に当該報告を提供するように、ＵＬ許可をＵＥに提供することができる。ＢＳのトリガは、メディアアクセス制御層制御要素（ＭＡＣ−ＣＥ）または新しい下行制御情報（ＤＣＩ）によって実行されることができる。サービスネットワークＢＳ４０１がＵＥ４０２トリガして報告する場合、当該報告は、以下の情報の少なくとも１つを含む。
【００４３】
活性化および／または停止：構成されたモード３プールおよび／またはプールの特定のリソース範囲／領域が他のモード４プールと重複すると決定された場合、サービスネットワークＢＳ４０１は、ＵＥ４０２を活性化して、構成されたモード３プールからの使用可能なｓｉｄｅｌｉｎｋリソースセットを報告することができる。ＵＥの地理的位置の変化により、構成されたモード３プールの操作リソース範囲／領域が他のモード４プールと重複する場合がなくなったと決定された場合、サービスネットワークＢＳ４０１は、当該ＵＥの報告を停止することができる。
【００４４】
リソース予約間隔および／またはカウンタ：当該パラメータがゼロ以外の値に設定された場合、ＵＥ４０２は、リソース予約間隔および／またはカウンタがゼロに達した時に、ＵＥの最新のセンシング結果に基づいて、更新された使用可能なリソースセットを周期的に報告する。一旦、カウンタがゼロに達すると、ＵＥ４０２は、サービスネットワークＢＳ４０１によって指定されたゼロ以外の値にリセットする。さらに、ＵＥ４０２は、サービスネットワークＢＳ４０１によってトリガされ、ＵＥの地理的位置の最新報告に基づいて、予約間隔および／またはカウンタがセロに達する前の任意の時間に、更新された使用可能なリソースのセットを報告する。この場合、このように報告されたＢＳのトリガは、モード３プールの新しいリソース領域を含み、ＵＥの報告は、当該リソース領域に限定される必要がある。当該パラメータが設定されず、または当該パラメータがゼロに設定された場合、ＵＥ４０２は、１つのＳＬ伝送に対して使用可能なリソースセットを１回のみ報告する必要がある（即ち、非周期的な報告）。
【００４５】
操作５０６でのＴ２とＴ４の間の時間差：上記されたように、ステップ３の操作５０５におけるサブフレームタイミングＴ２は、ＵＥ４０２が、使用可能なリソースセットをサービスネットワークＢＳ４０１に報告する必要があるサブフレームである。一旦、ＵＥの報告を提供すると、操作５０７のサブフレームタイミングＴ４は、ＵＥ４０２がＳＬデータパケットの送信を開始することができる最も早いサブフレームタイミングである。ＳＬ伝送に対するＵＥの準備時間を考慮することにより、操作５０７のＴ４は、ステップ３の操作５０５におけるＵＥが報告するタイミングＴ２の後、またはステップ４の操作５０８におけるＳＬ許可のタイミングＴ３の後の少なくとも４つのサブフレーム（４ｍｓ）である。ＵＥ報告とＳＬ許可の間の時間差も考慮すると、余分な１ｍｓから４ｍｓを４つのサブフレームに追加することができる。このようにして、操作５０６におけるＴ２とＴ４との間の時間差は、４ｍｓから８ｍｓの間である。
【００４６】
リソース領域：サービスネットワークＢＳ４０１は、構成されたモード３プール内にＳＬリソースの特定の領域を設定し、使用可能なリソースの選択を当該特定の領域に限定することができる。これは、ＵＥによって報告された地理的位置による可能性があり、また、ＵＥ４０２が使用可能なリソースセットを選択する期間をさらに限定する可能性がある。当該パラメータが設定されず、または当該パラメータがゼロに設定された場合（これは、ＵＥ４０２が他の地理的位置を周期的に報告するように構成されてないためである可能性がある）、構成されたモード３プールとモード４プールとの間に共有されるリソースエリア／領域から使用可能なリソースセットを選択する。
【００４７】
2021531683.tif 000003
【００４８】
報告されるリソースセットの目標サイズ：ＵＥ４０２が報告する必要のある使用可能なリソースセットに対して、サービスネットワークＢＳ４０１は、報告されるセットの目標サイズを３、４、５、６．．．または１０に限定して、ＵＥによって報告されるペイロードサイズを減らし、ＵＥ報告の遅延を最小限に抑え、サービスネットワークＢＳ４０１のデコーディングの信頼性を向上させることができる。２５つのサブチャネルおよび８０ｍｓのリソース選択ウィンドウを備えた２０ＭＨｚ  ＳＬキャリア帯域幅でＵＥ報告のペイロードサイズを節約することの例として、ＵＥ報告がビットマップ文字列を使用してウィンドウ内の各可能性のある使用可能なリソースを指示する場合、ペイロードサイズは２５ｘ８０＝２０００ビットであり、インデックス方法を報告するために使用される場合、１０個の使用可能なリソースのサブセットをサービスネットワークＢＳ４０１に示すために、（５＋１０）ｘ１０＝１５０ビットのみが必要とされる。
【００４９】
代替的に、目標セットサイズは、リソース領域内（ＵＥ４０２に提供された場合）および操作５０９でのリソース選択ウィンドウＴ４−Ｔ５内のリソースの総数の２０％に基づくことができ、ここで、操作５１０のＴ５は、遅延要件を満たすために、ＳＬデータパケットを送信する必要があるサブフレームタイミングである。
【００５０】
一旦、サービスネットワークＢＳ４０１が、使用可能なリソースの報告をトリガすると、操作４０６で、ＵＥ４０２は、操作５０１のセンシングウィンドウ上で取得したセンシング結果、およびステップ２の操作４０５で受信されたトリガパラメータに基づいて、サービスネットワークＢＳ４０１に報告しようとするリソースを選択する必要がある。詳しくは、ＵＥ４０２は、使用可能なリソースセットを決定するために、次の機能を実行する必要がある。
【００５１】
操作４０３のリソースセンシング結果から取得されたリソース予約情報および関連付けられたＰＳＳＣＨ−ＲＳＲＰの測定に基づいて、ＵＥ４０２は、先ず、操作５０９のリソース選択ウィンドウにおいて、測定されたＰＳＳＣＨ−ＲＳＲＰレベルが構成された閾値よりも高い他のＵＥによって予約された任意のサブチャネルを除外する。
【００５２】
2021531683.tif 000004
【００５３】
2021531683.tif 000005
【００５４】
操作４０８のサービスネットワークＢＳ４０１において、ＵＥ４０２に割り当てされるＳＬのモード３のリソースの最終的な選択は、ステップ３の操作４０７におけるＵＥ報告のセットに限定されるとは限れない。この原因は、構成されたモード３（ネットワークスケジューリング式リソース割り当てモード、またはスケジューリングモードと略称する）リソースプールは、他のモード４プールと完全に重複する可能性がないためである。したがって、サービスネットワークＢＳ４０１は、依然として、モード３のリソースプールの重複しない領域からＳＬリソースの最終的な選択を選択することができる。ステップ４の操作４０９において、サービスネットワークＢＳ４０１は、ＵＥが操作５０９のＴ４からＴ５の間にそのデータパケットを送信するために、ステップ４の操作５０８におけるサブフレームＴ３で、ｓｉｄｅｌｉｎｋ許可においてモード３のリソースの最終的な選択をＵＥに提供する。
【００５５】
サービスネットワークＢＳ４０１に対してＳＬリソースを割り当てた後に、操作４１０においてＵＥ４０２が、割り当てられたリソースが他のＵＥとのＳＬ伝送（例えば、モード４のＵＥからである）と競合することを検出した場合、ＵＥ４０２は、操作４１１においてそれらの最新のセンシング結果でステップ１の操作４０４からＵＥセンシングおよび報告プロセス全体を再び繰り返することができる。
【００５６】
本明細書で使用される、「スケジューリングモード」という用語は、「ネットワークスケジューリング式リソース割り当てモード」または「モード３」という用語と同等である。「センシング」という用語は、「センシング測定」という用語と同等である。「要求された」という用語は「トリガされた」という用語、「指令された」または「指示された」という用語と同等である。
【００５７】
図６は、本開示の実施例に係る、無線通信用の例示的なシステム７００のブロック図である。任意の適切に構成されたハードウェアおよび／またはソフトウェアを使用して本明細書で説明される実施例をシステムに実施させることができる。図６はシステム７００を示し、前記システムは、少なくとも図に示されたお互いに結合される無線周波数（ＲＦ）回路７１０、ベースバンド回路７２０、アプリケーション回路７３０、ストレージ／メモリ７４０、ディスプレイ７５０、カメラ７６０、センサ７７０および入力／出力（Ｉ／Ｏ）インターフェース７８０を備える。
【００５８】
アプリケーション回路７３０は、１つまたは複数のシングルコアまたはマルチコアプロセッサなどの回路を含むことができるが、これらに限定されない。プロセッサは、グラフィックプロセッサ、応用プロセッサなどの汎用プロセッサおよび専用プロセッサの任意の組み合せを含むことができる。プロセッサは、ストレージ／メモリに結合されることができ、さらに、ストレージ／メモリに記憶された命令を記憶して、様々なアプリケーションおよび／または動作システムをシステムで実行することができるように構成される。
【００５９】
ベースバンド回路７２０は、１つまたは複数のシングルコアまたはマルチコアプロセッサなどの回路を含むことができるが、これらに限定されない。プロセッサは、ベースバンドプロセッサを含むことができる。ベースバンド回路は、ＲＦ回路を介して１つまたは複数の無線ネットワークと通信する様々な無線制御機能を処理することができる。無線制御機能は、信号変調、エンコーディング、デコーディング、無線周波数シフトなどを含むが、これらに限定されない。いくつかの実施例において、ベースバンド回路は、１つまたは複数の無線技術と互換性のある通信を提供することができる。例えば、いくつかの実施例において、ベースバンド回路は、進化の汎用陸上無線アクセスネットワーク（ＥＵＴＲＡＮ）および／または他のワイヤレスメトロポリタンエリアネットワーク（ＷＭＡＮ）、ワイヤレスローカルエリアネットワーク（ＷＬＡＮ）、ワイヤレスパーソナルエリアネットワーク（ＷＰＡＮ）との通信をサポートすることができる。ここで、１つ以上のワイアレスプロトコルをサポートする無線通信をサポートするように構成されるベースバンド回路の実施例は、マルチモードベースバンド回路と称されることができる。
【００６０】
様々な実施例において、ベースバンド回路７２０は、厳密にベースバンド周波数にあると見なされない信号を使用して操作する回路を含むことができる。例えば、いくつかの実施例において、ベースバンド回路は、ベースバンド周波数と無線周波数の間の中間周波数信号を使用して操作する回路を含むことができる。
【００６１】
ＲＦ回路７１０は、非固体媒体を介して、変調された電磁放射を使用して、無線ネットワークと通信することができるようにする。様々な実施例において、無線ネットワークとの通信するために、ＲＦ回路は、スイッチ、フィルタ、アンプなどを含むことができる。
【００６２】
様々な実施例において、ＲＦ回路７１０は、厳密に無線周波数にあると見なされない信号を使用して操作する回路を含むことができる。例えば、いくつかの実施例において、ＲＦ回路は、ベースバンド周波数と無線周波数の間の中間周波数信号を使用して操作する回路を含むことができる。
【００６３】
様々な実施例において、ユーザ機器、ｅＮＢまたはｇＮＢに対して上記で説明した送信機回路、制御回路または受信機回路は、１つまたは複数のＲＦ回路、ベースバンド回路および／またはアプリケーション回路で完全にまたは部分的に実施されることができる。本明細書で使用される、「回路」は、１つまたは複数のソフトウェアまたはファームウェアプログラムを実行する回路、論理回路および／または説明された機能を提供する他の適切なハードウェアコンポーネントを組み合わせた特定用途向け集積回路（ＡＳＩＣ）、電子回路、プロセッサ（共有、専用またはグループ）および／またはメモリ（共有、専用またはグループ）を指し、またはその一部として使用され、またはこれらを含むことができる。いくつかの実施例において、電子機器回路または当該回路に関連付けられる機能は、１つまたは複数のソフトウェアまたはファームモジュールによって実現されることができる。
【００６４】
いくつかの実施例において、ベースバンド回路、アプリケーション回路および／またはストレージ／メモリの一部または全ての構成要素は、システムオンチップ（ＳＯＣ）上で実現することができる。
【００６５】
ストレージ／メモリ７４０は、システムのためのデータおよび／または命令など、読み込みおよび記憶するために使用されることができる。一実施例のストレージ／メモリは、ダイナミックランダムアクセスメモリ（ＤＲＡＭ）などの適切な揮発性メモリおよび／またはフラッシュメモリなどの不揮発性メモリの任意の組み合わせを含むことができる。
【００６６】
様々な実施例において、Ｉ／Ｏインターフェース７８０は、ユーザがシステムと相互作用することができるように設計された１つまたは複数のユーザインターフェースおよび／または周辺コンポーネントがシステムと相互作用することができるように設計された周辺コンポーネントインターフェースを含むことができる。ユーザインターフェースは、物理的なキーボードまたはキーパット、タッチパッド、スピーカ、マイクなどを含むことができるが、これらに限定されない。周辺コンポーネントインターフェースは、非揮発性メモリポート、汎用シリアルバス（ＵＳＢ）ポート、オーディオジャックおよび電源インターフェースを含むことができるが、これらに限定されない。
【００６７】
様々な実施例において、センサ７７０は、システムに関する環境条件および／または位置情報を決定するための１つまたは複数のセンシング機器を含むことができる。いくつかの実施例において、センサは、ジャイロセンサ、加速度計、接近センサ、環境光センサおよびポジショニングユニットを含むことができるが、これらに限定されない。ポジショニングユニットは、さらに、ポジショニングネットワークのコンポーネント（グローバルポジショニングシステム（ＧＰＳ：ｇｌｏｂａｌ  ｐｏｓｉｔｉｏｎｉｎｇ  ｓｙｓｔｅｍ）衛星など）と通信するために、ベースバンド回路および／またはＲＦ回路の一部、またはそれらの相互作用であり得る。
【００６８】
様々な実施例において、ディスプレイ７５０は、液晶ディスプレイおよびタッチスクリーンディスプレイなどのディスプレイを含むことができる。様々な実施例において、システム７００は、ラップトップコンピューティング機器、タブレットコンピューティング装置、ネットブック、ウルトラブック、スマートフォンなどのモバイルコンピューティング装置であり得るが、これらに限定されない。様々な実施例において、システムは、より多いまたはより少ないコンポーネントおよび／または異なるアーキテクチャを備えてもよい。適切な場合、本明細書で説明される方法は、コンピュータプログラムとして実現されることができる。コンピュータプログラムを非一時的記憶媒体などの記憶媒体に記憶してもよい。
【００６９】
要約すれば、本開示のいくつかの実施例は、以下の５つの態様を提供する。
【００７０】
態様１：モード３のリソースを含むＰＳＣＣＨデコーディングおよびＰＳＳＣＨ−ＲＳＲＰによって測定されたリソースセンシングは、ＢＳ指示またはＵＥ自己検出によってトリガされることができる。ＢＳによってトリガされる場合、当該指示は、ＵＥがセンシングする必要のある重複するリソース領域をさらに含むことができる。ＵＥの自己トリガによってトリガされる場合、他のモード４プールと重複するモード３のリソースでのみセンシング操作を実行する。
【００７１】
態様２：ＭＡＣ−ＣＥまたはＤＣＩを介してＢＳトリガを実行し、およびＵＥが使用可能なリソースセットを報告することを停止させることができる。当該トリガは、活性化および／または停止、リソース予約間隔および／またはカウンタ、ＵＥの報告タイミングとリソース選択ウィンドウの開始の間の時間差、リソース領域、連続するサブチャネルの長さおよび／または報告されるリソースセットの目標サイズのうちの少なくとも１つを含む。
【００７２】
態様３：ＵＥは、他のＵＥによって予約された任意のリソースを先ず排除し、そして、ＢＳによって設定された全ての基準を満たす使用可能なリソースセットを選択することにより、リソースセンシング結果に基づいて、使用可能なリソースをリソース選択ウィンドウ内で選択する。
【００７３】
態様４：ＵＥ報告の編集は、全ての使用可能なリソースのサブセットのみを含み、ここで、サブセットサイズを最大１０個のリソースまたは全ての使用可能なリソースの２０％に限定することができる。選択されたリソースのそれぞれの報告は、２つのインデックスの組み合わせによって示されることができる開始サブチャネル位置のみを含む。開始サブチャネルの周波数位置は、最大５ビットで示されることができ、時間位置は、最大１０ビットで示されることができる。
【００７４】
態様５：伝送競合が検出された場合、ＵＥは、伝送競合を回避するために、センシングおよび報告プロセス全体を自律的に再起動および／または再開する。
【００７５】
本開示のいくつかの実施例は、ｓｉｄｅｌｉｎｋ通信において上記のモード３プールおよびモード４プールが重複する場合のｓｉｄｅｌｉｎｋリソースのＵＥセンシングおよび報告中における問題を解決することが意図されている。ｓｉｄｅｌｉｎｋリソースの新しいセンシングおよび報告方法のいくつかの実施例は、以下の利点のうちの少なくとも１つを有する。
１、関連付けられたリソースのみを選択および報告する：冗長な情報ないため、ＵＬリソースをより有効に使用することができる。
２、全ての使用可能なリソースのサブセットのみを報告する：ペイロードが小さく、信頼性が高く、報告の遅延が短くなるため、ＵＬリソースの使用効率が向上する。
３、ＢＳトリガおよび報告許可を同時に提供することにより報告を高速化する：ＵＥからの追加のＵＬスケジューリング要求は不要であるため遅延が少なくなる。
４、センシングと競合回避におけるＵＥの自律的な決定：トリガおよびシグナリングが少なくなり、伝送の信頼性が高くなる。
【００７６】
本開示の実施例は、最終製品を作成するための技術／プロセスの組み合わせを３ＧＰＰ仕様で採用することができる。本開示の実施例、以下の利点のうちの少なくとも１つを有する。 
１、ＵＥが固定の伝送モードおよび／または周波数ホッピングを介したＬＴＥ  ｓｉｄｅｌｉｎｋ通信用のデータ伝送を報告する場合、より信頼性が高くなる。 
２選択および報告される必要のある全部使用可能なリソースの関連情報および／またはサブセットのみを報告することにより、ＵＬリソースをよりよく利用することができ、信頼性が向上し、ＵＥ報告の遅延が減少する。 
３、共同ＢＳトリガおよび同時に提供されたＵＬ許可を介して報告が高速化する。 
４、ＵＥが伝送競合を自律的且つ積極的に回避することにより、Ｖ２Ｘ通信のパフォーマンスが向上し、信頼性が向上する。
【００７７】
当業者は、電子ハードウェア、またはコンピュータソフトウェアおよび電子ハードウェアの組み合せを使用して、本開示の実施例で説明および開示されたユニット、アルゴリズムおよびステップを実施することを理解されたい。これらの機能がハードウェアの形で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本開示の実施例の範囲を超えると見なされるべきではない。当業者は、上記に説明されたシステム、機器およびユニットの具体的な作業プロセスは、基本的に同じであるため、上記の方法の実施例における対応するシステム、機器およびユニットを参照することができる。説明の便宜上および簡潔にするために、ここでは繰り返して説明しない。
【００７８】
本開示の実施例で開示されたシステム、機器および方法は、他の方式を通じて実現され得ることを理解されたい。上記の実施例は例示的である。当該ユニットの分割は、単なる論理的な機能分割に過ぎず、実際に実装では、別の分割方法があり得る。複数のユニットまたはコンポーネントを、別のシステムに統合または集積してもよい。一部の特徴を無視したり、またはスキップしてもよい。別の態様によれば、表示または議論された相互結合または直接結合または通信接続は、電気的、機械的または他の形態の一部のインターフェース、装置またはユニットを介した間接的な結合または通信接続であり得る。
【００７９】
当該分離部材として説明されたユニットは、物理的に分離されている場合とされてない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。また、本願の各実施例における各機能ユニットを一つの処理ユニットに統合してもよく、各ユニットを別々に１つのユニットとして使用してもよいし、２つ以上のユニットを１つのユニットに統合してもよい。
【００８０】
当該機能は、ソフトウェア機能ユニットの形で実現され、スタンドアロン製品として販売または使用される場合、コンピュータ読み取り可能な記憶媒体に記憶されることができる。このような理解に基づいて、本出願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【００８１】
本開示は、最も実用的および最も好ましい実施例と考えられるものを組み合わせて説明したが、本開示は開示された実施例に限定されず、添付の特許請求の範囲の最も広い解釈から逸脱しない範囲で実装された各レイアウトをカバーすることを意図することを理解されたい。
【図１】
2021531683.tif 000006
【図２】
2021531683.tif 000007
【図３】
2021531683.tif 000008
【図４】
2021531683.tif 000009
【図５】
2021531683.tif 000010
【図６】
2021531683.tif 000011
【国際調査報告】
2021531683.tif 000012
2021531683.tif 000013